(57)【要約】【課題】種々の形態に容易に変形することができる組立式構造体を提供する。【解決手段】合成樹脂製の連結部材１を複数個連結してなる棚５０であって、連結部材１は、平板状の頂壁部９と、この頂壁部９の周端部から直角に折れ曲がった周壁部１１と、頂壁部９の外側面９ａに形成され、他の連結部材１の周壁部１１の内側に挿入されて、この周壁部１１の内側に保持される外側突出部１２とを備えている。【選択図】　　　図６
2004132472.tif 000002
【特許請求の範囲】
【請求項１】
合成樹脂製の連結部材を複数個連結してなる組立式構造体であって、前記連結部材は、平板状の頂壁部と、この頂壁部の周端部から直角に折れ曲がった周壁部と、前記頂壁部の外側面に形成され、他の前記連結部材の前記周壁部の内側に挿入されて、この周壁部の内側に保持される外側突出部とを備えていることを特徴とする組立式構造体。
【請求項２】
前記連結部材の前記頂壁部の内側面には、前記周壁部とともに他の前記連結部材の前記外側突出部を挟持する内側突出部が、前記周壁部と平行に形成されていることを特徴とする請求項１に記載の組立式構造体。
【請求項３】
前記連結部材の前記外側突出部および前記内側突出部は複数個形成され、前記内側突出部は、前記頂壁部の内側面において、前記外側突出部の形成位置に対応する位置を避けた部分に形成されていることを特徴とする請求項２に記載の組立式構造体。
【請求項４】
前記連結部材の前記頂壁部の前記外側面側を覆うとともに、その外側面が平らに形成された合成樹脂製の被覆部材が設けられ、この被覆部材の内側面には、前記連結部材の前記外側突出部が挿入されて保持される挿入部が設けられていることを特徴とする請求項１乃至請求項３のいずれかに記載の組立式構造体。
【請求項５】
複数個が連結された前記連結部材の前記周壁部の外側に配置される合成樹脂製の外装部材が設けられ、この外装部材は、複数個が連結された前記連結部材の前記周壁部の外側を覆うとともにその外側面が平らに形成された板状の外装部と、この外装部の内側面から前記外装部に垂直に延びて、互いに隣り合う前記連結部材の間に介在される介在部とを備え、前記介在部の一方の面には、前記連結部材の前記周壁部の内側に挿入されて、この周壁部の内側に保持される突出部が形成され、他方の面には、前記連結部材の前記外側突出部が挿入されて保持される挿入部が形成されていることを特徴とする請求項１乃至請求項４のいずれかに記載の組立式構造体。
【請求項６】
複数個が連結された前記連結部材が分離しないように保持する保持部が設けられ、前記連結部材には、この連結部材を貫通する貫通孔が形成されており、前記保持部は、複数個が連結された前記連結部材の前記貫通孔に挿通される棒状の挿通部材と、この挿通部材の両端部に固定されて、複数個が連結された前記連結部材を挟持する挟持部材とを備えていることを特徴とする請求項１乃至請求項５のいずれかに記載の組立式構造体。
【請求項７】
前記連結部材の前記挿通孔は、前記連結部材の前記外側突出部に形成されていることを特徴とする請求項６に記載の組立式構造体。
【請求項８】
前記保持部の前記挿通部材の両端部にはねじが形成されており、前記各挟持部材には、前記挿通部材の前記ねじに螺合するねじが形成されていることを特徴とする請求項６または請求項７に記載の組立式構造体。
【請求項９】
前記連結部材の前記外側突出部には、切欠きが形成され、前記保持部材の前記挟持部材には、前記外側突出部の前記切欠きに嵌合する嵌合部が形成されていることを特徴とする請求項７または請求項８に記載の組立式構造体。
【請求項１０】
前記連結部材の前記外側突出部の前記切欠きは、この外側突出部が他の前記連結部材の前記内側突出部と前記周壁部との間に挿入されたとき、これらの内側突出部および周壁部に接触しない位置に形成されていることを特徴とする請求項９に記載の組立式構造体。
【請求項１１】
装飾用の装飾部材を、前記保持部の前記挟持部材に取り付けるための取付部材が設けられていることを特徴とする請求項６乃至請求項１０のいずれかに記載の組立式構造体。
【請求項１２】
前記組立式構造体は、机、椅子、ベット、棚等の家具であることを特徴とする請求項１乃至請求項１１のいずれかに記載の組立式構造体。
【請求項１３】
前記組立式構造体は、植木鉢等の物を置くための台であることを特徴とする請求項１乃至請求項１１のいずれかに記載の組立式構造体。
【請求項１４】
前記組立式構造体は、仕切りであることを特徴とする請求項１乃至請求項１１のいずれかに記載の組立式構造体。
【請求項１５】
前記組立式構造体は、愛玩動物用の囲い、愛玩動物用の小屋、愛玩動物用の登り台等の愛玩動物用品であることを特徴とする請求項１乃至請求項１１のいずれかに記載の組立式構造体。
【発明の詳細な説明】
【０００１】
【発明の属する技術分野】
本発明は、組立式構造体に関する。
【０００２】
【従来の技術】
この種の組立式構造体としては、従来、平板状の板部材や、略Ｌ字型に形成された板部材等を組み立てて形成された棚等の家具が知られている（例えば、特許文献１参照）。
【０００３】
【特許文献１】
特開平２００２−９５５３３号公報
【０００４】
【発明が解決しようとする課題】
しかしながら、上記従来の家具においては、この家具の１つである棚を、各板部材に分解し、これらの板部材をそのまま組み立てて、例えば、机等の別の形態の家具に形成することができなかった。
【０００５】
本発明は、上記事情に鑑みて為されたもので、種々の形態に容易に変形することができる組立式構造体を提供することを目的とする。
【０００６】
【課題を解決するための手段】
上記目的を達成するために、請求項１に記載の組立式構造体は、合成樹脂製の連結部材を複数個連結してなる組立式構造体であって、前記連結部材は、平板状の頂壁部と、この頂壁部の周端部から直角に折れ曲がった周壁部と、前記頂壁部の外側面に形成され、他の前記連結部材の前記周壁部の内側に挿入されて、この周壁部の内側に保持される外側突出部とを備えていることを特徴とする。
【０００７】
請求項１に記載の発明においては、連結部材の外側突出部を、この連結部材と同一の連結部材、あるいは長さ、幅、高さ、形状等が異なる他の連結部材の周壁部の内側に挿入して、これらの連結部材同士を連結することにより、組立式構造体が形成されるので、組立式構造体のデザイン、サイズおよび形態を自由に変えることができる。
例えば、組立構造体を各連結部材に分解して、これらの各連結部材を再び組み立てることにより、より小さい組立構造体を形成することができる。この際、余った連結部材を組み立てて、別の形態の組立構造体を形成することもできる。また、上記分解した各連結部材に、他の連結部材を加えて組み立てることにより、より大きい組立構造体を形成したり、あるいは異なるデザインの組立構造体を形成したりすることができる。さらには、色の異なる連結部材を組み合わせたり、あるいは表面に木目柄等の模様を付した連結部材を組み立てたりすることにより、組立構造体の外観を良くすることもできる。
また、組立式構造体は、容易に分解することができるので、大きな組立式構造体であっても、容易に運搬することができる。
また、連結部材が合成樹脂製なので、組立式構造体の軽量化を図ることができる。しかも、連結部材を容易に量産することができるとともに、製造コストを低減することができる。
なお、連結部材の形状は、直方体状、立方体状、円柱状、あるいは三角柱状等に形成することができる。
【０００８】
請求項２に記載の組立式構造体は、請求項１に記載の発明において、前記連結部材の前記頂壁部の内側面には、前記周壁部とともに他の前記連結部材の前記外側突出部を挟持する内側突出部が、前記周壁部と平行に形成されていることを特徴とする。
【０００９】
請求項２に記載の発明においては、連結部材の頂壁部の内側面に内側突出部を形成しているので、この連結部材の内側突出部と周壁部との間に、他の連結部材の外側突出部を挿入すると、この外側突出部の外周面が、連結部材の内側突出部の外周面の一部と周壁部の内周面の一部とに接触して、これらの内側突出部と周壁部とが外側突出部を挟持する。このように、連結部材の内側突出部と周壁部とで、他の連結部材の外側突出部を挟持するので、連結部材同士を強固に連結することができる。
【００１０】
請求項３に記載の組立式構造体は、請求項２に記載の発明において、前記連結部材の前記外側突出部および前記内側突出部は複数個形成され、前記内側突出部は、前記頂壁部の内側面において、前記外側突出部の形成位置に対応する位置を避けた部分に形成されていることを特徴とする。
【００１１】
請求項３に記載の発明においては、連結部材の内側突出部が、頂壁部の内側面において、外側突出部の形成位置に対応する位置を避けた部分に形成されているので、複数個の連結部材を、これらの連結部材の周壁部が面一になるように連結することができ、組立式構造体の外観を良くすることができる。
【００１２】
請求項４に記載の組立式構造体は、請求項１乃至請求項３のいずれかに記載の発明において、前記連結部材の前記頂壁部の前記外側面側を覆うとともに、その外側面が平らに形成された合成樹脂製の被覆部材が設けられ、この被覆部材の内側面には、前記連結部材の前記外側突出部が挿入されて保持される挿入部が設けられていることを特徴とする。
【００１３】
請求項４に記載の発明においては、被覆部材の内側面に形成された挿入部に、連結部材の外側突出部を挿入して、被覆部材を連結部材の外側面側に取り付けると、連結部材の外側突出部が隠れるとともに、被覆部材の外側面が、組立式構造体の外側面の一部を構成するため、組立式構造体の外側面を平らな面に形成することができ、組立式構造体の外観を良くすることができる。しかも、被覆部材が水平に配置されている場合には、被覆部材の外側面に物を安定して置くことができる。
【００１４】
請求項５に記載の組立式構造体は、請求項１乃至請求項４のいずれかに記載の発明において、複数個が連結された前記連結部材の前記周壁部の外側に配置される合成樹脂製の外装部材が設けられ、この外装部材は、複数個が連結された前記連結部材の前記周壁部の外側を覆うとともにその外側面が平らに形成された板状の外装部と、この外装部の内側面から前記外装部に垂直に延びて、互いに隣り合う前記連結部材の間に介在される介在部とを備え、前記介在部の一方の面には、前記連結部材の前記周壁部の内側に挿入されて、この周壁部の内側に保持される突出部が形成され、他方の面には、前記連結部材の前記外側突出部が挿入されて保持される挿入部が形成されていることを特徴とする。
【００１５】
請求項５に記載の発明においては、外装部材の介在部の突出部を、互いに隣り合う連結部材のうち一方の連結部材の周壁部の内側に挿入し、この介在部の挿入部に、互いに隣り合う連結部材のうち他方の連結部材の外側突出部を挿入することにより、互いに隣り合う連結部材の間に介在部を介在させて、外装部材の外装部を複数個が連結された連結部材の周壁部の外側に位置させると、この外装部が、複数個が連結された連結部材の間のつなぎ目を隠すとともに、組立式構造体の外側面の一部を構成する。したがって、組立式構造体の外側面をつなぎ目のない平らな面に形成することができ、組立式構造体の外観を良くすることができる。
また、外装部材が合成樹脂製なので、組立式構造体の軽量化を図ることができる。しかも、外装部材を容易に量産することができるとともに、製造コストを低減することができる。
【００１６】
請求項６に記載の組立式構造体は、請求項１乃至請求項５のいずれかに記載の発明において、複数個が連結された前記連結部材が分離しないように保持する保持部が設けられ、前記連結部材には、この連結部材を貫通する貫通孔が形成されており、前記保持部は、複数個が連結された前記連結部材の前記貫通孔に挿通される棒状の挿通部材と、この挿通部材の両端部に固定されて、複数個が連結された前記連結部材を挟持する挟持部材とを備えていることを特徴とする。
【００１７】
請求項６に記載の発明においては、保持部を設けているので、複数個が連結された連結部材の分離を防止することができ、組立式構造体の強度を高めることができる。
【００１８】
請求項７に記載の組立式構造体は、請求項６に記載の発明において、前記連結部材の前記挿通孔は、前記連結部材の前記外側突出部に形成されていることを特徴とする。
【００１９】
請求項７に記載の発明においては、連結部材の外側突出部に、保持部の挿通部材を挿通する貫通孔が形成されているので、連結部材を複数個連結すると、各連結部材の貫通孔が一直線状になるため、複数個に連結された連結部材の各貫通孔に、保持部の挿通部材を容易に挿通することができる。
【００２０】
請求項８に記載の組立式構造体は、請求項６または請求項７に記載の発明において、前記保持部の前記挿通部材の両端部にはねじが形成されており、前記各挟持部材には、前記挿通部材の前記ねじに螺合するねじが形成されていることを特徴とする。
【００２１】
請求項８に記載の発明においては、挟持部材が、挿通部材の両端部にねじの螺合により固定されるので、複数個が連結された連結部材が分離するのをさらに防止することができ、組立式構造体の強度をさらに高めることができる。
【００２２】
請求項９に記載の組立式構造体は、請求項７または請求項８に記載の発明において、前記連結部材の前記外側突出部には、切欠きが形成され、前記保持部材の前記挟持部材には、前記外側突出部の前記切欠きに嵌合する嵌合部が形成されていることを特徴とする。
【００２３】
請求項９に記載の発明においては、挟持部材に連結部材の外側突出部の切欠きに嵌合する嵌合部が形成されているので、この嵌合部を、連結部材の外側突出部に形成された切欠きに嵌合すると、挟持部材が周方向に回転しなくなるため、この挟持部材のねじに、挿通部材のねじを容易に螺合することができる。
【００２４】
請求項１０に記載の組立式構造体は、請求項９に記載の発明において、前記連結部材の前記外側突出部の前記切欠きは、この外側突出部が他の前記連結部材の前記内側突出部と前記周壁部との間に挿入されたとき、これらの内側突出部および周壁部に接触しない位置に形成されていることを特徴とする。
【００２５】
請求項１０に記載の発明においては、連結部材の外側突出部の切欠きは、この外側突出部が他の連結部材の内側突出部と周壁部との間に挿入されたとき、これらの内側突出部および周壁部に接触しない位置に形成されているので、連結部材の突出部の外周面と、他の連結部材の内側突出部の外周面および周壁部の内周面とが確実に接触するため、互いに隣り合う連結部材同士の連結が緩くなることを防止することができる。
【００２６】
請求項１１に記載の組立式構造体は、請求項６乃至請求項１０のいずれかに記載の発明において、装飾用の装飾部材を、前記保持部の前記挟持部材に取り付けるための取付部材が設けられていることを特徴とする。
【００２７】
請求項１１に記載の発明においては、保持部の挟持部材に、電球や造花等の装飾用の装飾部材を取り付けるための取付部材を設けているので、組立式構造体に装飾部材を容易に取り付けることができ、組立式構造体の外観をさらに良くすることができる。
【００２８】
請求項１２に記載の組立式構造体は、請求項１乃至請求項１１のいずれかに記載の発明において、前記組立式構造体は、机、椅子、ベット、棚等の家具であることを特徴とする。
【００２９】
請求項１２に記載の発明においては、形状、サイズを容易に変更できるとともに、他の形態の家具に容易に変形することができる家具を提供することができる。
例えば、連結部材を組み立てて机を形成した場合には、この机を各連結部材に分解して、これらの各連結部材を再び組み立てることにより、より小さい机を形成することができる。この際、余った連結部材を組み立てて、別の家具を形成することもできる。また、上記分解した各連結部材に、他の連結部材を加えて組み立てることにより、より大きい机を形成したり、あるいは異なるデザインの机を形成したりすることができるとともに、椅子、ベット、棚等の他の家具を形成することもできる。さらには、色の異なる連結部材を組み合わせたり、あるいは表面に木目柄等の模様を付した連結部材を組み立てることにより、家具の外観を良くすることもできる。
【００３０】
請求項１３に記載の組立式構造体は、請求項１乃至請求項１１のいずれかに記載の発明において、前記組立式構造体は、植木鉢等の物を置くための台であることを特徴とする。
【００３１】
請求項１３に記載の発明においては、形状、サイズおよび形態を容易に変形することができるフラワースタンド等の台を提供することができる。
例えば、連結部材を組み立ててフラワースタンドを形成した場合には、このフラワースタンドを各連結部材に分解して、これらの各連結部材を再び組み立てることにより、より小さいフラワースタンドを形成することができる。この際、余ったフラワースタンドを組み立てて、別の形態の台を形成することもできる。また、上記分解した各連結部材に、他の連結部材を加えて組み立てることにより、より大きいフラワースタンドを形成したり、あるいは異なるデザインのフラワースタンドを形成したりすることができる。さらには、色の異なる連結部材を組み合わせたり、あるいは表面に木目柄等の模様を付した連結部材を組み立てたりすることにより、台の外観を良くすることもできる。
【００３２】
請求項１４に記載の組立式構造体は、請求項１乃至請求項１１のいずれかに記載の発明において、前記組立式構造体は、仕切りであることを特徴とする。
【００３３】
請求項１４に記載の発明においては、形状、サイズおよび形態を容易に変形することができるパーテーション、ラティス等の仕切りを提供することができる。
例えば、連結部材を組み立ててパーテーションを形成した場合には、このパーテーションを各連結部材に分解して、これらの各連結部材を再び組み立てることにより、より小さいパーテーションを形成することができる。この際、余った連結部材を組み立てて、別のパーテーション等を形成することもできる。また、上記分解した各連結部材に、他の連結部材を加えて組み立てることにより、より大きいパーテーションを形成したり、あるいは異なるデザインのパーテーションを形成したりすることができるとともに、ラティス等の他の仕切りを形成することもできる。さらには、色の異なる連結部材を組み合わせたり、あるいは表面に木目柄等の模様を付した連結部材を組み立てたりすることにより、仕切り外観を良くすることもできる。
【００３４】
請求項１５に記載の組立式構造体は、請求項１乃至請求項１１のいずれかに記載の発明において、前記組立式構造体は、愛玩動物用の囲い、愛玩動物用の小屋、愛玩動物用の登り台等の愛玩動物用品であることを特徴とする。
【００３５】
請求項１５に記載の発明においては、形状、サイズおよび形態を容易に変形することができる愛玩動物用品を提供することができる。
例えば、連結部材を組み立てて愛玩動物用の囲いを形成した場合には、この囲いを各連結部材に分解して、これらの各連結部材を再び組み立てることにより、より小さい囲いを形成することができる。この際、余った連結部材を組み立てて、別の囲い等を形成することもできる。また、上記分解した各連結部材に、他の連結部材を加えて組み立てることにより、より大きい囲いを形成したり、あるいは異なるデザインの囲いを形成したりすることができるとともに、愛玩動物用の小屋あるいは愛玩動物用の登り台等の他の愛玩動物用品を形成することもできる。さらには、色の異なる連結部材を組み合わせたり、あるいは表面に木目柄等の模様を付した連結部材を組み立てたりすることにより、愛玩動物用品の外観を良くすることもできる。
なお、愛玩動物用の囲いとしては、例えば、いわゆるペットサークル等が挙げられる。また、愛玩動物用の小屋としては、例えば、犬小屋等が挙げられる。さらには、愛玩動物用の登り台としては、例えば、猫が登って遊んだり、登って昼寝をしたりするキャットタワー等が挙げられる。
【００３６】
【発明の実施の形態】
以下、添付した図面を参照しながら本発明の実施の形態を説明する。
図１乃至図９は、本発明に係る第１実施の形態を示す図であって、図１は、連結部材の一例を示す図であり、図２は、被覆部材の一例を示す図であり、図３は、外装部材の一例を示す図であり、図４は、保持部の一例を示す図であり、図５は組立式家具の組立方法を説明するための図であり、図６乃至図９は、組立式家具の一例である棚を示す図である。
【００３７】
本実施の形態に係る組立式家具（組立式構造体）は、例えば、図６乃至図９に示す棚５０，５１，５２，５３であり、これらの棚５０，５１，５２，５３，５３は、予め用意された複数種類の合成樹脂性の連結部材の中から選択された連結部材と、予め用意された複数種類の合成樹脂製の被覆部材の中から選択された被覆部材と、予め用意された複数種類の合成樹脂製の外装部材の中から選択された被覆部材と、予め用意された複数種類の保持部の中から選択された保持部とが組み立てられて構成されている。
【００３８】
図１に示すように、連結部材１は、長方形の板状に形成された頂壁部（平板部）９と、この頂壁部９の周端部から直角に折れ曲がった周壁部１１とから開口を有する中空の直方体状に形成されている。
頂壁部９の外側面９ａには、上方に向けて垂直に突出した円筒状の外側突出部１２が、頂壁部９の長手方向に沿って間隔をおいて２列並んで形成されており、各列の外側突出部１２は、等間隔で４つ並べられている。これらの各外側突出部１２はそれぞれ、図１（ｄ）の一点鎖線で示すように、他の連結部材１の周壁部１１の内側に挿入されたとき、その外周面１２ａの一部が、周壁部１１の内周面１１ａおよび後述する内側突出部１５の外周面１５ａに接触するようになっている。
【００３９】
また、各外側突出部１２には、外側突出部１２の端面と頂壁部９の内側面９ｂとを貫通した貫通孔１３が形成されており、この貫通孔１３によって周壁部１１の内側の空間と外部の空間とが連通されている。
これらの各外側突出部１２には、板状の切欠き１４が、外側突出部１２の周方向に等間隔で４つ形成されている。切り欠き１４は、外側突出部１２の外周面１２ａにおいて、周壁部１１の内周面１１ａおよび内側突出部１５の外周面１５ａとの接触部以外の位置に形成されており、外側突出部１２が他の連結部材１の周壁部１１の内側に挿入されたとき、この外側突出部１２の切欠き１４が、他の連結部材１の周壁部１１の内周面１１ａまたは内側突出部１５の外周面１５ａに接触しないようになっている。
【００４０】
また、頂壁部９の内側面９ｂのうち、外側突出部１２の形成位置に対応する位置以外の部分には、周壁部１１と平行に突出した円筒状の内側突出部１５が、形成されている。すなわち、内側突出部１２は、頂壁部９の内側面９ｂにおいて、外側突出部１２の列の間でかつ各外側突出部１２の間に位置するように等間隔で３つ並んで形成されている。この内側突出部１５は、周壁部１１とともに、この周壁部１１の内側に挿入された他の連結部材１の外側突出部１２を挟持するようになっており、これにより連結部材１同士が、直線状または段差状に連結されるようになっている。
【００４１】
なお、連結部材としては、図１に示す連結部材１の他、頂壁部９の長さ、頂壁部９の幅、周壁部１１の高さ、外側突出部１２および内側突出部１５の大きさ、外側突出部１２および内側突出部１５の数、連結部材の色等を変えることにより、種々の連結部材を得ることができる。
【００４２】
図２に示すように、被覆部材３は、長方形の板状に形成された頂壁部１７と、この頂壁部１７の周端部から下方に直角に折れ曲がった周壁部（挿入部）１９とから開口を有する中空の直方体状に形成されており、連結部材１の頂壁部９の外側面９ａ側に取り付けられて、この外側面９ａを覆うようになっている。この被覆部材３の頂壁部１７の外側面１７ａは、平らな面に形成されている。
また、頂壁部１７の内側面１７ｂの幅方向の中央部には、下方に垂直に突出した円筒状の内側突出部２１が、頂壁部１７の長手方向に沿って、等間隔で３つ並んで形成されている。この内側突出部２１の高さは、周壁部１９よりも僅かに低く設定されている。この内側突出部２１は、被覆部材３の周壁部１９の内側に挿入された連結部材１の外側突出部１２を、周壁部１９とともに挟持するようになっており、これにより被覆部材３が連結部材１に連結されるようになっている。
【００４３】
なお、被覆部材としては、図２に示す被覆部材３の他、頂壁部１７の長さ、頂壁部１７の幅、周壁部１９の高さ、内側突出部１５の数、被覆部材の色等を変えることにより、種々の被覆部材を得ることができる。
【００４４】
図３に示すように、外装部材５は、複数個が連結された連結部材１の外側を覆う平板状の外装部２３と、互いに隣り合う連結部材１の間に介在される介在部２５とを備えている。この外装部材５の外装部２３の外側面２３ａは、平らな面に形成されている。
【００４５】
介在部２５は、外装部２３の内側面２３ｂの中央部から、外装部２３に垂直に延びており、介在部２５の上面（一方の面）２５ａには、連結部材１の周壁部１１の内側に挿入されて、連結部材の周壁部１１と内側突出部１５とに挟持される円筒状の突出部２７が形成され、介在部２５の下面（他方の面）２５ｂには、連結部材１の外側突出部１２に嵌合する嵌合孔（挿入部）２９が形成されている。
図５に示すように、この介在部２５の上面２５ａの突出部２７が、互いに隣り合う連結部材１のうち、一方の連結部材１の周壁部１１の内側に挿入されて、連結部材１の周壁部１１と内側突出部１５とに挟持され、介在部２５の下面２５の嵌合孔２９に、互いに隣り合う連結部材１のうち他方の連結部材１の外側突出部１５が嵌合して、介在部２５が各連結部材１の間に介在するようになっている。これにより、外装部２３が、複数個に連結された連結部材１の周壁部１１の外側を覆うようになっている。
また、介在部２５の突出部２７には、この突出部２７の端面と嵌合孔２９とを貫通する貫通孔２７ａが形成されており、この貫通孔２７ａおよび嵌合孔２９に後述する保持部７の挿通部材３１が挿通されるようになっている。
【００４６】
なお、外装部材としては、図３に示す外装部材５の他、外装部２３および介在部２５の長さ、外装部２３および介在部２５の幅、外装部２３および介在部２３の厚さ、外装部２３の内側面２３ｂに対する介在部２５の形成位置、外装部材の色等を変えることにより、種々の外装部材を得ることができる。
【００４７】
図４に示すように、保持部７は、複数個が連結された連結部材１の貫通孔１３に挿入される円筒状の挿入部材３１と、この挿入部材３１の両端部に螺合する雌ねじ部材（挟持部材）３７および雄ねじ部材（挟持部材）３８とを備えており、複数個が連結された連結部材１が分離しないように、挿入部材３１の両端部に螺合した雌ねじ部材３７および雄ねじ部材３８とで、複数個が連結された連結部材１の両端を挟持するようになっている。
【００４８】
挿入部材３１の一端部３１ｂには、挿入部材３１の中間部３１ａよりも径の小さい小径部３２が形成されており、この小径部３２の外周面には雄ねじ（ねじ）３４が形成されている。また、挿入部材３１の他端部３１ｃの内側面には、雌ねじ３５が形成されている。
【００４９】
雌ねじ部材３７は、頭部３９と、内周面に挿入部材３１の雄ねじ３４に螺合する雌ねじ３６が形成されている円筒状のねじ部４０とを備えている。頭部３９は、連結部材１の外側突出部１２の貫通孔１３に挿入される円筒状の円筒部４１と、この円筒部４１の外周面から外方に垂直に延びるとともに、円筒部４１の周方向に等間隔で４つ形成されて、連結部材１の外側突出部１２の切欠き１４に嵌合する板状の嵌合突出部４２とから構成されている。
【００５０】
雄ねじ部材３８は、頭部４３と、外周面に挿入部材３１の雄ねじ３５に螺合する雄ねじ４４が形成されている円筒状のねじ部４５とを備えている。頭部４３は、端面が挿入部材３１の端面に当接される円筒状の円筒部４６と、この円筒部４６の外周面から外方に垂直に延びるとともに、円筒部４６の周方向に等間隔で４つ形成された板状の突出部４７とから構成されている。
【００５１】
なお、保持部としては、図４に示す保持部５の他、挿入部材３１の長さ、挿入部材３１の外径、雌ねじ部材３７および雄ねじ部材３８の大きさ等を変えることにより、種々の保持部を得ることができる。
【００５２】
上記構成の連結部材１、被覆部材３、外装部材５および保持部７は、以下のようにして組み立てられる。
すなわち、図５（ａ）に示すように、一方の連結部材１の外側突出部１２を、他方の連結部材１の周壁部１１と内側突出部１５との間に挿入して、連結部材１を複数個連結する。
【００５３】
次に、図５（ｂ）に示すように、複数個が連結された連結部材１のうち、互いに隣り合う連結部材１の間に外装部材５の介在部２５を介在させて、複数個が連結された連結部材１の周壁部１１を、外装部材５の外装部２３で覆う。
【００５４】
次に、図５（ａ）に示すように、複数個が連結された連結部材１の各外側突出部１２の各貫通孔３７および外装部材５の介在部２５の貫通孔２７ａに、保持部７の挿入部材３１を挿入した後、複数個が連結された連結部材１のうち、一番上の連結部材１の外側突出部１２の貫通孔３７に、保持部７の雌ねじ部材３７の円筒部３９を挿入するとともに、雌ねじ部材３７の嵌合突出部４０を、外側突出部１２の切欠き１４に嵌合して、雌ねじ部材３７を外側突出部１２に取り付ける。
【００５５】
次に、雌ねじ部材３７が、上方に抜けないように押さえながら、挿入部材３１をまわして、保持部材３１の雄ねじ３４を雌ねじ部材３７の雌ねじ３６に螺合する。その後、挿入部材３１の他端部３１ｃの雌ねじ３５に、雄ねじ部材３８の雄ねじ４４を螺合して、各ねじ部材３７，３８が、複数個に連結された連結部材１を挟持し、これらの各連結部材１が分離しないようにする。
そして、複数個が連結された連結部材１のうち、一番上の連結部材１の外側突出部１２に、被覆部材３の嵌合部を嵌合して、この外側突出部１２を隠す。
【００５６】
上記組立方法により、複数種類の連結部材の中から選択された連結部材、複数種類の被覆部材の中から選択された被覆部材、複数種類の外装部材の中から選択された外装部材、および複数種類の保持部の中から選択された保持部を組み立てることにより、図６乃至９図に示す種々の形状の棚５０，５１，５２，５３あるいは、机、椅子、ベット等の他の形態の組立式家具を形成する。
【００５７】
なお、図６乃至図９においては、図１に示す連結部材１、図２に示す被覆部材３および図４に示す保持部７のみ符号を付し、他の種類の連結部材、被覆部材および保持部の符号は省略している。また、図６乃至図９においては、外装部材５の図示は省略している。
【００５８】
このような組立式家具にあっては、複数種類の連結部材の中から選択された連結部材、複数種類の被覆部材の中から選択された被覆部材、複数種類の外装部材の中から選択された外装部材、および複数種類の保持部の中から選択された保持部を組み立てて形成されているので、この組立式家具のデザイン、サイズおよび形態を自由に変更することができる。
すなわち、引越し等により部屋が狭くなった場合には、例えば、図６に示す形状の棚５０を、連結部材、被覆部材、外装部材および保持部材に分解して、これらの各部材を再び組み立てることにより、より小さい棚５０を形成することができる。この場合、余った各部材を組み立てて、机、椅子、ベット等の別の組立式家具を形成することもできる。
また、引越し等により部屋が広くなった場合には、上記分解した各部材と、他の連結部材、被覆部材、外装部材および保持部材とを組み合わせることにより、より大きい棚５０を形成することができる。
また、季節の変わり目や気分等に応じて、上記分解した各部材と、他の連結部材、被覆部材、外装部材および保持部材とを組み合わせることにより、図７乃至図９に示す異なるデザインの棚５１，５２，５３や、机、椅子、ベット等の他の家具を形成することができる。
さらには、色の異なる連結部材を組み合わせたり、あるいは表面に木目柄等の模様を付した連結部材を組み立てることにより、棚５０，５１，５２，５３、机、椅子、ベット等の組立式家具の外観を良くすることもできる。
【００５９】
また、組立式家具は、容易に分解することができるため、大きな組立式家具であっても、その運搬を容易なものにすることができる。
また、連結部材１、被覆部材３、外装部材５および保持部７が、合成樹脂により構成されているので、組立式家具の軽量化および製造コストの低減を図ることができるとともに、これらの部材を容易に量産することができる。
【００６０】
また、連結部材１の頂壁部９の内側面９ｂに内側突出部１５を形成しているので、この内側突出部１５と周壁部１１とで、他の連結部材１の外側突出部１２を挟持することができるため、連結部材１同士を強固に連結することができる。
【００６１】
また、連結部材１の内側突出部１５が、頂壁部９の内側面９ｂにおいて、外側突出部の形成位置に対応する位置に重ならない部分に形成されているので、複数個の連結部材１を、これらの連結部材１の周壁部１５が面一になるように連結することができる。したがって、組立式家具の外観を良くすることができる
【００６２】
また、連結部材１の頂壁部９の外側面９ａ側を覆う被覆部材３を設けているので、連結部材１の外側突出部１２が隠れるとともに、被覆部材３の外側面１７ａが、組立式家具の外側面の一部を構成するため、この組立式家具の外側面を平らな面に形成することができ、組立式家具の外観を良くすることができる。また、この被覆部材３が水平に配置されている場合には、被覆部材３の外側面１７ａに物を安定して置くことができる。
【００６３】
また、複数個に連結された連結部材１の周壁部１１の外側に取り付けられる外装部材５を設けているので、この外装部材５の外装部２３が、複数個が連結された連結部材の間のつなぎ目を隠すとともに、組立式家具の外側面の一部を構成するため、組立式家具の外側面をつなぎ目のない平らな面に形成することができ、組立式構造体の外観を良くすることができる。
【００６４】
また、保持部７を設けているため、複数個が連結された連結部材１の分離を防止することができ、組立式家具の強度を高めることができる。
【００６５】
また、連結部材１の外側突出部１２に、保持部７の挿通部材３１を挿通する貫通孔１３が形成されているので、連結部材１を複数個連結することにより、各連結部材１の各貫通孔１３を一直線状にすることができるため、これらの各貫通孔１３に保持部７の挿通部材３１を容易に挿通することができる。
【００６６】
また、雌ねじ部材３７および雄ねじ部材３８が、挿通部材３１の両端部にねじの螺合により固定されるので、複数個が連結された連結部材１が分離するのをさらに防止することができる。したがって、組立式構造体の強度をさらに高めることができる。
【００６７】
また、雌ねじ部材３７に、連結部材１の外側突出部１２の切欠き１４に嵌合する嵌合突出部４２が形成されているので、この嵌合突出部４２を、外側突出部１２の切欠き１４に嵌合することにより、雌ねじ部材３７が周方向に回転するのを阻止することができるため、この雌ねじ部材３７の雌ねじ３６に、挿通部材３１の雄ねじ３４を容易に螺合することができる。
【００６８】
また、連結部材１の外側突出部１２の切欠き１４は、この外側突出部１２が他の連結部材１の周壁部１１と内側突出部１５との間に挿入されたとき、これらの周壁部１１および内側突出部１５に接触しない位置に形成されているので、連結部材１の外側突出部１２の外周面１２ａと、他の連結部材１の周壁部１１の内周面１１ａとを確実に接触させることができる。したがって、互いに隣り合う連結部材１同士の連結が緩くなるのを防止することができる。
【００６９】
図１０は、本発明に係る第２実施の形態を示す図である。図１０に示すように、本実施の形態に係るフラワースタンド（組立式構造体）６０は、植木鉢等を置くための台であり、第１実施の形態の複数種類の連結部材の中から選択された連結部材、第１実施の形態の複数種類の被覆部材の中から選択された被覆部材を、第１実施の形態と同様の組立方法で組み立てることにより形成されている。
なお、図１０においては、図１に示す連結部材１および図２に示す被覆部材３のみ符号を付し、他の種類の連結部材および被覆部材の符号は省略している。
また、図１０に示すフラワースタンド６０は、連結部材および被覆部材のみを用いて形成されているが、第１実施の形態の複数種類の外装部材の中から選択された外装部材および第１実施の形態の複数種類の保持部の中から選択された保持部７をさらに用いて形成しても良い。
【００７０】
図１１は、本発明に係る第３実施の形態を示す図である。図１１に示すように、本実施の形態に係るキャットタワー（組立式構造体）６５は、愛玩動物用品の１つであって、猫が登って遊んだり昼寝をしたりする愛玩動物用の登り台である。このキャットタワー６５は、第１実施の形態の複数種類の連結部材の中から選択された連結部材、第１実施の形態の複数種類の被覆部材の中から選択された被覆部材、第１実施の形態の複数種類の外装部材の中から選択された外装部材、第１実施の形態の複数種類の保持部の中から選択された保持部を、第１実施の形態と同様の組立方法で組み立てることにより形成されている。
なお、図１１においては、図１に示す連結部材１、図２に示す被覆部材３および図４に示す保持部７のみ符号を付し、他の種類の連結部材、被覆部材および保持部の符号は省略している。また、図１１においては、外装部材５の図示は省略している。
【００７１】
図１２は、本発明に係る第４実施の形態を示す図である。図１２に示すように、本実施の形態に係るペットサークル（組立式構造体）７０は、愛玩動物用品の１つであって、子犬等が外に出ないようにするための愛玩動物用の囲いである。このペットサークル７０は、第１実施の形態の複数種類の連結部材の中から選択された連結部材、第１実施の形態の複数種類の被覆部材の中から選択された被覆部材を、第１実施の形態と同様の組立方法で組み立てることにより形成されている。
なお、図１２においては、図１に示す連結部材１および図２に示す被覆部材３のみ符号を付し、他の種類の連結部材および被覆部材の符号は省略している。
また、図１２に示すペットサークル７０は、連結部材および被覆部材のみを用いて形成されているが、第１実施の形態の複数種類の外装部材の中から選択された外装部材および第１実施の形態の複数種類の保持部の中から選択された保持部７をさらに用いて形成しても良い。
【００７２】
図１３は、本発明に係る第５実施の形態を示す図である。図１３に示すように、本実施の形態に係るパーテーション（組立式構造体）７５は、室内を区画する仕切りであり、第１実施の形態の複数種類の連結部材の中から選択された連結部材、第１実施の形態の複数種類の被覆部材の中から選択された被覆部材、第１実施の形態の複数種類の外装部材の中から選択された外装部材、第１実施の形態の複数種類の保持部の中から選択された保持部を、第１実施の形態と同様の組立方法で組み立てることにより形成されている。
なお、図１３においては、図１に示す連結部材１、図２に示す被覆部材３および図４に示す保持部７のみ符号を付し、他の種類の連結部材、被覆部材および保持部の符号は省略している。また、図１３においては、外装部材５の図示は省略している。
【００７３】
図１４は、本発明に係る第６実施の形態を示す図である。図１４に示すように、本実施の形態に係るラティス（組立式構造体）８０は、外から室内が見えないようにするための仕切りであり、第１実施の形態の複数種類の連結部材の中から選択された連結部材、第１実施の形態の複数種類の被覆部材の中から選択された被覆部材、第１実施の形態の複数種類の外装部材の中から選択された外装部材、第１実施の形態の複数種類の保持部の中から選択された保持部を、第１実施の形態と同様の組立方法で組み立てることにより形成されている。
なお、図１４においては、図１に示す連結部材１、図２に示す被覆部材３および図４に示す保持部７のみ符号を付し、他の種類の連結部材、被覆部材および保持部の符号は省略している。また、図１４においては、外装部材５の図示は省略している。
【００７４】
本発明は、上述した実施の形態に限定されず、その要旨を逸脱しない範囲内において、種々の変形が可能である。
例えば、図１５に示すように、組立式構造体の構成要素の１つとして、保持部７の雌ねじ部材３７に取り付けられるソケット（取付部材）９０を設けるようにしても良い。
このソケット９０は、電球８１が挿入される円筒状の挿入部８２と、この挿入部の下端を塞ぐとともに、貫通孔８３が形成された底板部８４とを備えている。挿入部８２の外周面には、雌ねじ部材３７の円筒部４１の内側に形成された雌ねじ８８に螺合する雄ねじ８７が形成されている。また、底板部８４には、貫通孔８３に挿通された電線８５が接続された板状の金属板８６が取り付けられている。
このソケット８０を、雌ねじ部材３７にねじの螺合により取り付けた後、ソケット８０に電球８１を挿入することにより、組立式構造体の外観を華やかなものにすることができ、組立式構造体の外観を良くすることができる。
【００７５】
また、上記各実施の形態においては、連結部材１を直方体状に形成したが、これに代えて、連結部材１を、例えば、円筒状、三角柱状等に形成するようにしても良い。
【００７６】
また、上記各実施の形態では、連結部材１の外側突出部１２を貫通孔１３を有する円筒状に形成したが、これに代えて、外側突出部１２を貫通孔１３が形成されていない円柱状に形成しても良い。さらには、外側突出部１２を、円柱状に代えて、三角柱状、四角柱状等に形成してもよい。
【００７７】
また、上記実施の形態では、一の連結部材１の外側突出部１２を、他の連結部材１の内壁部１１と内側突出部１５との間に挿入することにより連結部材１同士を連結したが、これに代えて、外側突出部の外径が、連結部材１の内側突出部の内径よりも小さいとともに、内側突出部の外径が、連結部材１の外側突出部１２の内径よりも小さい連結部材を設け、この連結部材の外側突出部を、連結部材１の内側突出部１５の内側に嵌入して保持したり、あるいはこの連結部材の内側突出部を、連結部材１の外側突出部１２の内側に嵌入して保持したりすることにより、この連結部材と連結部材１とを連結するようにしても良い。
この場合、この連結部材の外側突出部および内側突出部はそれぞれ、連結部材１の外側突出部１２および内側突出部１５よりも小さいので、この連結部材の幅を、連結部材１の幅よりも狭くすることができる。この連結部材は、例えば、棚の内側の仕切り等として用いることができる。
【００７８】
また、上記各実施の形態においては、被覆部材３を直方体状に形成したが、これに代えて、例えば、被覆部材３を円筒状、三角柱状等に形成するようにしても良い。さらには、被覆部材３を板状に形成して、この板状の一方の面に、連結部材１の周壁部１１の内側に挿入される突出部を形成し、他方の面に、連結部材１の外側突出部１２が嵌合する凹みを設けるようにしても良い。
【００７９】
また、上記各実施の形態では、外装部材５の介在部２５を板状に形成したが、これに代えて、介在部２５を、連結部材１と同様な構成にするようにしても良い。
【００８０】
また、上記各実施の形態では、保持部７の挿通部材３１の一端部に雄ねじ３４を形成し、他端部に雌ねじ３５を形成したが、これに代えて、挿通部材３１の両端部に雄ねじ３４または雌ねじ３５を形成するようにし、これらの雄ねじ３４または雌ねじ３５に、雌ねじ部材３７または雄ねじ部材３８を螺合するようにしても良い。
【００８１】
また、愛玩動物用品としては、上記第３実施の形態のキャットタワー６５および第４実施の形態のペットサークル７０に限定されず、例えば、愛玩動物用の小屋であっても良い。
【００８２】
【発明の効果】
以上説明したように、請求項１に記載の組立式構造体によれば、組立式構造体のデザイン、サイズおよび形態を自由に変えることができる。また、大きな組立式構造体であっても、容易に運搬することができる。さらには、組立式構造体の軽量化および製造コストの低減を図ることができるとともに、連結部材を容易に量産することができる。
【００８３】
請求項２に記載の組立式構造体によれば、請求項１に記載の発明と同様な効果を奏するとともに、連結部材同士を強固に連結することができる。
【００８４】
請求項３に記載の組立式構造体によれば、請求項２に記載の発明と同様な効果を奏するとともに、複数個の連結部材を、これらの連結部材の周壁部が面一になるように連結することができ、組立式構造体の外観を良くすることができる。
【００８５】
請求項４に記載の組立式構造体によれば、請求項１乃至請求項３のいずれかに記載の発明と同様な効果を奏するとともに、組立式構造体の外側面を平らな面に形成することができ、組立式構造体の外観を良くすることができる。また、水平に配置された被覆部材の外側面に物を安定して置くことができる。
また、組立式構造体の軽量化および製造コストの低減を図ることができるとともに、被覆部材を容易に量産することができる。
【００８６】
請求項５に記載の組立式構造体によれば、請求項１乃至請求項４のいずれかに記載の発明と同様な作用効果を奏するとともに、組立式構造体の外側面をつなぎ目のない平らな面に形成することができ、組立式構造体の外観を良くすることができる。
また、組立式構造体の軽量化および製造コストの低減を図ることができるとともに、外装部材を容易に量産することができる。
【００８７】
請求項６に記載の組立式構造体によれば、請求項１乃至請求項５のいずれかに記載の発明と同様な作用効果を奏するとともに、複数個が連結された連結部材の分離を防止することができ、組立式構造体の強度を高めることができる。
【００８８】
請求項７に記載の組立式構造体によれば、請求項６に記載の発明と同様な効果を奏するとともに、連結部材を複数個連結することにより、各連結部材の各貫通孔を一直線状にすることができ、これらの貫通孔に保持部の挿通部材を容易に挿通することができる。
【００８９】
請求項８に記載の組立式構造体によれば、請求項６または請求項７に記載の発明と同様な効果を奏するとともに、複数個が連結された連結部材が分離するのをさらに防止することができ、組立式構造体の強度をさらに高めることができる。
【００９０】
請求項９に記載の組立式構造体によれば、請求項７または請求項８に記載の発明と同様な効果を奏するとともに、この嵌合部を連結部材の外側突出部に形成された切欠きに嵌合することにより、挟持部材が周方向に回転するのを防止することができ、この挟持部材のねじに、挿通部材のねじを容易に螺合することができる。
【００９１】
請求項１０に記載の組立式構造体によれば、請求項９に記載の発明と同様な効果を奏するとともに、連結部材の突出部の外周面と、他の連結部材の周壁部の内周面および内側突出部の外周面とを確実に接触させることができ、互いに隣り合う連結部材同士の連結が緩くなるのを防止することができる。
【００９２】
請求項１１に記載の組立式構造体によれば、請求項６乃至請求項１０のいずれかに記載の発明と同様な効果を奏するとともに、組立式構造体に装飾用の装飾部材を容易に取り付けることができ、組立式構造体の外観をさらに良くすることができる。
【００９３】
請求項１２に記載の組立式構造体によれば、請求項１乃至請求項１１に記載の発明と同様な効果を奏するとともに、形状、サイズを容易に変更できるとともに、種々の形態の家具に容易に変更することができる家具を提供することができる。
【００９４】
請求項１３に記載の組立式構造体によれば、請求項１乃至請求項１１に記載の発明と同様な効果を奏するとともに、形状、サイズを容易に変更することができるとともに、他の形態の台に容易に変更することができる台を提供することができる。
【００９５】
請求項１４に記載の組立式構造体によれば、請求項１乃至請求項１１に記載の発明と同様な効果を奏するとともに、形状、サイズおよび形態を容易に変形することができる仕切りを提供することができる。
【００９６】
請求項１５に記載の組立式構造体によれば、請求項１乃至請求項１１に記載の発明と同様な効果を奏するとともに、形状、サイズおよび形態を容易に変形することができる愛玩動物用品を提供することができる。
【００９７】
【図面の簡単な説明】
【図１】本発明の第１実施の形態に係る連結部材を示す図であって、（ａ）は平面図、（ｂ）は正面図、（ｃ）は側面図、（ｄ）は背面図である。
【図２】本発明の第１実施の形態に係る被覆部材を示す図であって、（ａ）は平面図、（ｂ）は正面図、（ｃ）は側面図である。
【図３】本発明の第１実施の形態に係る外装部材を示す図であって、（ａ）は側面図、（ｂ）は正面図、（ｃ）は平面図である。
【図４】本発明の第１実施の形態に係る保持部を示す図であって、（ａ）は保持部を構成する挿通部材、雌ねじ部材および雄ねじ部材を示す正面図、（ｂ）は（ａ）の保持部の雌ねじ部材および雄ねじ部材を示す平面図である。
【図５】本発明の第１実施の形態に係る組立式家具の組立方法を説明するための図あって、（ａ）は連結部材と被覆部材と外装部材と保持部とが組み立てられている状態を示す側面図、（ｂ）は連結部材と被覆部材と保持部材とが組み立てられた状態を示す斜視図である。
【図６】組立式家具の一例である棚を示す図であって、（ａ）は正面図、（ｂ）は側面図、（ｃ）は平面図である。
【図７】組立式家具の一例である棚を示す図であって、（ａ）は正面図、（ｂ）は側面図、（ｃ）は平面図である。
【図８】組立式家具の一例である棚を示す図であって、（ａ）は正面図、（ｂ）は側面図、（ｃ）は平面図である。
【図９】組立式家具の一例である棚を示す図であって、（ａ）は正面図、（ｂ）は側面図、（ｃ）は平面図である。
【図１０】本発明の第２実施の形態に係るフラワースタンドを示す図であって、（ａ）は正面図、（ｂ）は側面図、（ｃ）は平面図である。
【図１１】本発明の第３実施の形態に係るキャットタワーを示す図であって、（ａ）は正面図、（ｂ）は側面図、（ｃ）は平面図である。
【図１２】本発明の第４実施の形態に係るペットサークルを示す図であって、（ａ）は平面図、（ｂ）は側面図である。
【図１３】本発明の第５実施の形態に係るパーテーションを示す図であって、（ａ）は正面図、（ｂ）は側面図、（ｃ）は平面図である。
【図１４】本発明の第６実施の形態に係るラティスを示す図であって、（ａ）は正面図、（ｂ）は側面図、（ｃ）は平面図である。
【図１５】変形例に係るソケットを示す図である。
【符号の説明】
１　　　連結部材
３　　　被覆部材
５　　　外装部材
７　　　保持部
９　　　頂壁部
９ａ　　外側面
９ｂ　　内側面
１１　　周壁部
１１ａ　内周面
１２　　外側突出部
１２ａ　外周面
１３　　貫通孔
１４　　切欠き
１５　　内側突出部
１５ａ　外周面
１７ａ　外側面
１９　　周壁部（挿入部）
２３　　外装部
２３ａ　外側面
２５　　介在部
２５ａ　上面（一方の面）
２５ｂ　下面（他方の面）
２７　　突出部
２９　　嵌合孔（挿入部）
３１　　挿通部材
３４，４４　　雄ねじ（ねじ）
３５，３６　　雌ねじ（ねじ）
３７　　雌ねじ部材（挟持部材）
３８　　雄ねじ部材（挟持部材）
４２　　嵌合突出部（嵌合部）
５０，５１，５２，５３　棚（組立式構造体）
６０　　フラワースタンド（組立式構造体）
６５　　キャットタワー（組立式構造体）
７０　　ペットサークル（組立式構造体）
７５　　パーテーション（組立式構造体）
８０　　ラティス（組立式構造体）
９０　　ソケット（取付部材）
【図１】
2004132472.tif 000003
【図２】
2004132472.tif 000004
【図３】
2004132472.tif 000005
【図４】
2004132472.tif 000006
【図５】
2004132472.tif 000007
【図６】
2004132472.tif 000008
【図７】
2004132472.tif 000009
【図８】
2004132472.tif 000010
【図９】
2004132472.tif 000011
【図１０】
2004132472.tif 000012
【図１１】
2004132472.tif 000013
【図１２】
2004132472.tif 000014
【図１３】
2004132472.tif 000015
【図１４】
2004132472.tif 000016
【図１５】
2004132472.tif 000017